(57)【要約】【課題】他のコンテンツ利用者がコンテンツに付与した評価に基づき、コンテンツ利用者の興味や嗜好に適合したコンテンツを容易に取得することが可能な情報提示システムを提供すること。【解決手段】  提示対象利用者にコンテンツに関するコンテンツ情報を提示する情報提示システムにおいて、コンテンツ情報、又はコンテンツ利用者の属性の少なくとも一方をコンテンツ利用者の嗜好情報として取得する。取得した嗜好情報に基づき、提示対象利用者とは異なるコンテンツ利用者の中から、類似利用者を決定する（Ｓ３８５）。コンテンツに対する評価のうち、類似利用者の評価に対応するコンテンツ情報を取得し（Ｓ３９５）、提示対象利用者に提示する。コンテンツに対する評価は、利用期間中に取得したコンテンツ利用者の生体情報に基づき付与される。【選択図】図１４
2009211387.tif 000002
【特許請求の範囲】
【請求項１】
提示対象利用者にコンテンツに関するコンテンツ情報を提示する情報提示システムであって、
コンテンツ提示装置がコンテンツ利用者にコンテンツを提示している利用期間の、当該コンテンツ利用者の生体情報を取得する生体情報取得手段と、
前記生体情報取得手段が取得した前記生体情報に基づき、前記利用期間中の前記コンテンツ利用者の前記コンテンツに対する評価を付与する評価付与手段と、
前記評価付与手段が付与した前記評価を、前記コンテンツ及び前記コンテンツ利用者と対応付けて取得する評価取得手段と、
前記コンテンツ利用者が利用した前記コンテンツ情報、及び前記コンテンツ利用者の属性の少なくとも一方を当該コンテンツ利用者の嗜好情報として取得する嗜好情報取得手段と、
前記コンテンツ情報を提示する対象となる前記コンテンツ利用者を前記提示対象利用者として特定する提示対象利用者特定手段と、
前記嗜好情報取得手段が取得した前記嗜好情報に基づき、前記提示対象利用者とは異なる前記コンテンツ利用者の中から、前記提示対象利用者の前記嗜好情報と類似する前記嗜好情報を有する前記コンテンツ利用者を類似利用者として決定する類似利用者決定手段と、
前記評価取得手段が取得した前記評価のうち、前記類似利用者決定手段により決定された前記類似利用者の前記評価に対応する前記コンテンツ情報を前記提示対象利用者に提示する情報提示手段と
を備えることを特徴とする情報提示システム。
【請求項２】
前記提示対象利用者から指定された指定コンテンツを取得するコンテンツ取得手段をさらに備え、
前記情報提示手段は、前記類似利用者の前記評価の中から、前記コンテンツ取得手段により取得された前記指定コンテンツに対する前記評価を前記提示対象利用者に提示することを特徴とする請求項１に記載の情報提示システム。
【請求項３】
前記評価取得手段により取得された前記コンテンツに基づき、前記類似利用者により利用された前記コンテンツのうち、前記提示対象利用者に利用されていない未利用コンテンツを取得する未利用コンテンツ取得手段をさらに備え、
前記情報提示手段は、前記未利用コンテンツの内、前記評価の高い順に取得した所定数の未利用コンテンツに対応する前記コンテンツ情報を前記提示対象利用者に提示することを特徴とする請求項１又は２に記載の情報提示システム。
【請求項４】
前記生体情報は、前記利用期間中の前記コンテンツ利用者の体の動きの有無を表す体動情報を含むことを特徴とする請求項１乃至３のいずれかに記載の情報提示システム。
【請求項５】
前記体動情報は、前記利用期間中に前記コンテンツ利用者が体を動かした回数を含むことを特徴とする請求項４に記載の情報提示システム。
【請求項６】
前記体動情報は、前記利用期間中の前記コンテンツ利用者が体を動かしていない時間を含むことを特徴とする請求項４又は５のいずれかに記載の情報提示システム。
【請求項７】
前記生体情報は、前記利用期間中の前記コンテンツ利用者の眠気を表す眠気情報を含むことを特徴とする請求項１乃至６のいずれかに記載の情報提示システム。
【請求項８】
前記眠気情報は、前記利用期間中の前記コンテンツ利用者の脈拍数を含むことを特徴とする請求項７に記載の情報提示システム。
【請求項９】
前記眠気情報は、前記利用期間中の前記コンテンツ利用者の呼吸数を含むことを特徴とする請求項７又は８のいずれかに記載の情報提示システム。
【請求項１０】
前記嗜好情報は、前記コンテンツ情報として前記コンテンツ利用者が利用した前記コンテンツの識別情報を含むことを特徴とする請求項１乃至９のいずれかに記載の情報提示システム。
【請求項１１】
前記嗜好情報は、前記コンテンツ情報として前記評価付与手段が付与した前記評価を含むことを特徴とする請求項１乃至１０のいずれかに記載の情報提示システム。
【請求項１２】
前記嗜好情報は、前記コンテンツ情報として前記コンテンツに内容に基づき予め区分されたジャンルを含むことを特徴とする請求項１乃至１１のいずれかに記載の情報提示システム。
【発明の詳細な説明】
【技術分野】
【０００１】
本発明は、コンテンツに関するコンテンツ情報を提示対象利用者に提示する情報提示システムに関する。
【背景技術】
【０００２】
近年、インターネットやパソコン通信の普及により、インターネット等のネットワークを介して多数のコンテンツ利用者にコンテンツを提供するサービスが広く行われている。コンテンツ利用者は、キーワード検索を利用したり、他のコンテンツ利用者が独自に付与した評価等を参考にしたりして、自分の興味や嗜好に適合したコンテンツを見つけ出している。しかし、コンテンツ利用者が利用可能なコンテンツの増加に伴い、多くの情報の中からコンテンツ利用者の興味や嗜好に適合したコンテンツを検索することが難しくなってきている。
【０００３】
これに対して、コンテンツ利用者の興味や嗜好に適合した情報を選択する情報検索方式や情報フィルタリング方式が種々提案されている。例えば、ソーシャルフィルタリングと呼ばれる方式では、コンテンツを利用する多数のコンテンツ利用者が各々のコンテンツについて評価を行い、その評価情報をもとにコンテンツ利用者間の類似度を計算する。そして、コンテンツ利用者と類似度の高い他のコンテンツ利用者が高く評価したコンテンツを優先的に提供する（例えば、特許文献１参照）。
【０００４】
【特許文献１】特開２００２−９２０２８号公報
【発明の開示】
【発明が解決しようとする課題】
【０００５】
しかしながら、特許文献１記載のコンテンツ集配信システムでは、コンテンツ情報の評価を、各コンテンツ利用者が独自に行っていたため、コンテンツに対する客観的な評価が得られるとは限らなかった。このため、他のコンテンツ利用者が付与したコンテンツに対する評価に基づき、コンテンツ利用者の興味や嗜好に適合した適切なコンテンツを取得することが困難であった。
【０００６】
本発明は、上述した問題点を解決するためになされたものであり、他のコンテンツ利用者がコンテンツに付与した評価に基づき、コンテンツ利用者の興味や嗜好に適合したコンテンツを容易に取得することが可能な情報提示システムを提供することを目的とする。
【課題を解決するための手段】
【０００７】
上記課題を解決するため、請求項１に係る発明の情報提示システムは、提示対象利用者にコンテンツに関するコンテンツ情報を提示する情報提示システムであって、コンテンツ提示装置がコンテンツ利用者にコンテンツを提示している利用期間の、当該コンテンツ利用者の生体情報を取得する生体情報取得手段と、前記生体情報取得手段が取得した前記生体情報に基づき、前記利用期間中の前記コンテンツ利用者の前記コンテンツに対する評価を付与する評価付与手段と、前記評価付与手段が付与した前記評価を、前記コンテンツ及び前記コンテンツ利用者と対応付けて取得する評価取得手段と、前記コンテンツ利用者が利用した前記コンテンツ情報、及び前記コンテンツ利用者の属性の少なくとも一方を当該コンテンツ利用者の嗜好情報として取得する嗜好情報取得手段と、前記コンテンツ情報を提示する対象となる前記コンテンツ利用者を前記提示対象利用者として特定する提示対象利用者特定手段と、前記嗜好情報取得手段が取得した前記嗜好情報に基づき、前記提示対象利用者とは異なる前記コンテンツ利用者の中から、前記提示対象利用者の前記嗜好情報と類似する前記嗜好情報を有する前記コンテンツ利用者を類似利用者として決定する類似利用者決定手段と、前記評価取得手段が取得した前記評価のうち、前記類似利用者決定手段により決定された前記類似利用者の前記評価に対応する前記コンテンツ情報を前記提示対象利用者に提示する情報提示手段とを備えている。
【０００８】
また、請求項２に係る発明の情報提示システムは、請求項１に記載の発明の構成に加え、前記提示対象利用者から指定された指定コンテンツを取得するコンテンツ取得手段をさらに備え、前記情報提示手段は、前記類似利用者の前記評価の中から、前記コンテンツ取得手段により取得された前記指定コンテンツに対する前記評価を前記提示対象利用者に提示する。
【０００９】
また、請求項３に係る発明の情報提示システムは、請求項１又は２に記載の発明の構成に加え、前記評価取得手段により取得された前記コンテンツに基づき、前記類似利用者により利用された前記コンテンツのうち、前記提示対象利用者に利用されていない未利用コンテンツを取得する未利用コンテンツ取得手段をさらに備え、前記情報提示手段は、前記未利用コンテンツの内、前記評価の高い順に取得した所定数の未利用コンテンツに対応する前記コンテンツ情報を前記提示対象利用者に提示する。
【００１０】
また、請求項４に係る発明の情報提示システムは、請求項１乃至３のいずれかに記載の発明の構成に加え、前記生体情報は、前記利用期間中の前記コンテンツ利用者の体の動きの有無を表す体動情報を含むことを特徴とする。
【００１１】
また、請求項５に係る発明の情報提示システムは、請求項４に記載の発明の構成に加え、前記体動情報は、前記利用期間中に前記コンテンツ利用者が体を動かした回数を含むことを特徴とする。
【００１２】
また、請求項６に係る発明の情報提示システムは、請求項４又は５に記載の発明の構成に加え、前記体動情報は、前記利用期間中の前記コンテンツ利用者が体を動かしていない時間を含むことを特徴とする。
【００１３】
また、請求項７に係る発明の情報提示システムは、請求項１乃至６のいずれかに記載の発明の構成に加え、前記生体情報は、前記利用期間中の前記コンテンツ利用者の眠気を表す眠気情報を含むことを特徴とする。
【００１４】
また、請求項８に係る発明の情報提示システムは、請求項７に記載の発明の構成に加え、前記眠気情報は、前記利用期間中の前記コンテンツ利用者の脈拍数を含むことを特徴とする。
【００１５】
また、請求項９に係る発明の情報提示システムは、請求項７又は８に記載の発明の構成に加え、前記眠気情報は、前記利用期間中の前記コンテンツ利用者の呼吸数を含むことを特徴とする。
【００１６】
また、請求項１０に係る発明の情報提示システムは、請求項１乃至９のいずれかに記載の発明の構成に加え、前記嗜好情報は、前記コンテンツ情報として前記コンテンツ利用者が利用した前記コンテンツの識別情報を含むことを特徴とする。
【００１７】
また、請求項１１に係る発明の情報提示システムは、請求項１乃至１０のいずれかに記載の発明の構成に加え、前記嗜好情報は、前記コンテンツ情報として前記評価付与手段が付与した前記評価を含むことを特徴とする。
【００１８】
また、請求項１２に係る発明の情報提示システムは、請求項１乃至１１のいずれかに記載の発明の構成に加え、前記嗜好情報は、前記コンテンツ情報として前記コンテンツに内容に基づき予め区分されたジャンルを含むことを特徴とする。
【発明の効果】
【００１９】
請求項１に係る発明の情報提示システムによれば、コンテンツの評価として提示対象利用者の嗜好情報と類似する嗜好情報を有する類似利用者の評価に対応するコンテンツ情報が提示対象利用者に提示される。評価は、コンテンツを利用している利用期間中に類似利用者から取得された生体情報に基づき自動的に付与される。このため、類似利用者の主観に左右されない客観的な評価であると言える。また、嗜好情報は、コンテンツ利用者が利用したコンテンツ情報、及びコンテンツ利用者の属性の少なくとも一方を含む。このため、嗜好情報に基づき決定された類似利用者は、提示対象利用者と同様な嗜好を有すると推定される。よって、提示対象利用者と嗜好が類似していないと推定されるコンテンツ利用者の評価に比べ、類似利用者の評価は信頼性が高い。したがって、提示対象利用者は、情報提示システムにより提示されたコンテンツ情報に基づき、自分の興味や嗜好に適合したコンテンツを容易に見つけることができる。
【００２０】
請求項２に係る発明の情報提示システムによれば、請求項１に記載の発明の効果に加え、提示対象利用者が指定するコンテンツについて、類似利用者の評価を容易に取得することができる。前述の通り、提示対象利用者と嗜好が類似していないと推定されるコンテンツ利用者の評価に比べ、類似利用者の評価は信頼性が高い。したがって、提示対象利用者は、情報提示システムにより提示された評価に基づき、指定コンテンツが自分の興味や嗜好に適合しているか否かを適切に判断することができる。
【００２１】
請求項３に係る発明の情報提示システムによれば、請求項１又は２に記載の発明の効果に加え、提示対象利用者が未利用のコンテンツについて、類似利用者の評価を容易に取得することができる。このため、提示対象利用者が未利用のコンテンツについて、類似利用者の評価の高い順に取得した所定数の未利用コンテンツを容易に取得することができる。前述の通り、提示対象利用者と嗜好が類似していないと推定されるコンテンツ利用者の評価に比べ、類似利用者の評価は信頼性が高い。このため、提示される未利用コンテンツは、類似利用者の評価に基づき、提示対象利用者の嗜好に適合すると推定される。したがって、提示対象利用者は、提示された未利用コンテンツのコンテンツ情報に基づき、自分の興味や嗜好に適合したコンテンツを容易に見つけることができる。
【００２２】
請求項４に係る発明の情報提示システムによれば、請求項１乃至３のいずれかに記載の発明の効果に加え、コンテンツ利用期間中のコンテンツ利用者の体の動きの有無を表す体動情報に基づき、コンテンツの評価を付与することができる。体動情報からは、例えば、利用期間中のコンテンツ利用者の姿勢や、落ち着いてコンテンツを利用していたか否かを把握することができる。このため、体動情報に基づきコンテンツの評価を付与すれば、利用期間中のコンテンツ利用者の態度を客観的に評価に反映させることができる。
【００２３】
請求項５に係る発明の情報提示システムによれば、請求項４に記載の発明の効果に加え、利用期間中にコンテンツ利用者が体を動かした回数を含む体動情報に基づき、コンテンツの評価を付与することができる。体動情報としての利用期間中にコンテンツ利用者が体を動かした回数からは、落ち着いてコンテンツを利用していたか否かを把握することができる。このため、コンテンツ利用者が落ち着いてコンテンツを利用していたか否かを反映した客観的な評価を得ることができる。
【００２４】
請求項６に係る発明の情報提示システムによれば、請求項４又は５に記載の発明の効果に加え、利用期間中のコンテンツ利用者が体を動かしていない時間を含む体動情報に基づき、コンテンツの評価を付与することができる。体動情報としての利用期間中にコンテンツ利用者が体を動かしていない時間からは、コンテンツ利用者が落ち着いてコンテンツを利用していたか否かを把握することができる。このため、コンテンツ利用者が落ち着いてコンテンツを利用していたか否かを反映した客観的な評価を得ることができる。
【００２５】
請求項７に係る発明の情報提示システムによれば、請求項１乃至６のいずれかに記載の発明の効果に加え、コンテンツ利用期間中のコンテンツ利用者の眠気を表す眠気情報に基づき、コンテンツの評価を付与することができる。眠気情報からは、利用期間中にコンテンツ利用者が眠気を催していたか否か、又は集中してコンテンツを利用していたか否かを把握することができる。このため、眠気情報に基づきコンテンツの評価を付与すれば、利用期間中にコンテンツ利用者が集中してコンテンツを利用していたか否かを客観的に評価に反映させることができる。
【００２６】
請求項８に係る発明の情報提示システムによれば、請求項７に記載の発明の効果に加え、利用期間中のコンテンツ利用者の脈拍数を含む眠気情報に基づき、コンテンツの評価を付与することができる。一般に、眠気を催しているときには脈拍数が低下し、興奮している場合には脈拍数が上昇する。このため、脈拍数を用いれば、利用期間中にコンテンツ利用者が集中してコンテンツを利用していたか否かを的確に把握することが可能である。
【００２７】
請求項９に係る発明の情報提示システムによれば、請求項７又は８に記載の発明の効果に加え、利用期間中のコンテンツ利用者の呼吸数を含む眠気情報に基づき、コンテンツの評価を付与することができる。一般に、眠気を催しているときには呼吸数が低下し、興奮している場合には呼吸数が上昇する。このため、呼吸数を用いれば、利用期間中にコンテンツ利用者が集中してコンテンツを利用していたか否かを的確に把握することが可能である。
【００２８】
請求項１０に係る発明の情報提示システムによれば、請求項１乃至９のいずれかに記載の発明の効果に加え、提示対象利用者が利用したコンテンツと類似するコンテンツを利用しているコンテンツ利用者であれば、提示対象利用者と類似する嗜好を有していると推定される。このため、コンテンツの識別情報を含む嗜好情報に基づき類似利用者を決定すれば、類似利用者を適切に決定することができる。
【００２９】
請求項１１に係る発明の情報提示システムによれば、請求項１乃至１０のいずれかに記載の発明の効果に加え、同一又は内容が類似するコンテンツに対して提示対象利用者と類似する評価を付与しているコンテンツ利用者であれば、提示対象利用者と類似する嗜好を有していると推定される。このため、コンテンツの評価を含む嗜好情報に基づき類似利用者を決定すれば、類似利用者を適切に決定することができる。
【００３０】
請求項１２に係る発明の情報提示システムによれば、請求項１乃至１１のいずれかに記載の発明の効果に加え、提示対象利用者が利用したコンテンツのジャンルと同一又は類似するジャンルのコンテンツを利用するコンテンツ利用者であれば、提示対象利用者と類似する嗜好を有していると推定される。コンテンツに内容に基づき予め区分したジャンルを含む嗜好情報に基づき類似利用者を決定すれば、類似利用者を適切に決定することができる。
【発明を実施するための最良の形態】
【００３１】
以下、本発明を適用した例として、第１及び第２の実施形態を、図面を参照して順に説明する。まず、第１の実施形態の情報提示システム１の構成について図１を参照して説明する。図１は、情報提示システム１の構成図である。図１に示すように、情報提示システム１は、端末１０，情報生成装置２０，及び情報収集装置５０を備えている。そして、端末１０，情報生成装置２０，及び情報収集装置５０は、インターネット等のネットワーク４を介して相互に接続可能である。尚、図１には、端末１０，情報生成装置２０，及び情報収集装置５０をそれぞれ１つずつしか図示していないが、各構成は必要に応じて数を増やすことができる。
【００３２】
以下、情報提示システム１を構成する端末１０，情報生成装置２０，及び情報収集装置５０の電気的構成について詳述する。まず、端末１０の電気的構成について図１を参照して説明する。端末１０は、コンテンツ利用者が利用する所謂携帯端末であり、本発明の「コンテンツ提示装置」に相当する。端末１０は、図１に示すように、ＣＰＵ１１，ＲＯＭ１２，ＲＡＭ１３，Ｉ／Ｏインタフェイス（Ｉ／Ｆ）１４，キー入力部１５，及び出力部１６を備える。そして、ＲＯＭ１２，ＲＡＭ１３，Ｉ／Ｏインタフェイス（Ｉ／Ｆ）１４，キー入力部１５，及び出力部１６は、バス１８を介してＣＰＵ１１に接続している。Ｉ／Ｆ１４は、情報生成装置２０，情報収集装置５０，又はネットワーク４に接続された外部装置と通信するのに用いられ、端末１０は、Ｉ／Ｆ１４を経由してインターネット等のネットワーク４に接続可能である。キー入力部１５は、コンテンツ利用者が端末１０に指示を入力する際に使用され、出力部１６は、表示部及びスピーカで構成され、コンテンツ、及びコンテンツ情報を出力する。
【００３３】
次に、情報生成装置２０の電気的構成について図１を参照して説明する。情報生成装置２０は、コンテンツ利用者が、利用期間中に使用する椅子に内蔵されている。情報生成装置２０は、ＣＰＵ２１，ＲＯＭ２２，ＲＡＭ２３，Ｉ／Ｏインタフェイス（Ｉ／Ｆ）２４，呼吸センサ２５，脈拍センサ２６，及び体動センサ２７を備える。ＲＯＭ２２，ＲＡＭ２３，Ｉ／Ｏインタフェイス（Ｉ／Ｆ）２４，呼吸センサ２５，脈拍センサ２６，及び体動センサ２７は、バス２８を介してＣＰＵ２１に接続している。呼吸センサ２５は、吸気と呼気の温度差（％）を利用し、呼吸曲線の変化から呼吸数を計測するセンサである。脈拍センサ２６は、所謂感圧センサであり、コンテンツ利用者の脈拍数を計測する。脈拍センサ２６として、血液の膨張収縮による距離の差分を検出する、所謂赤外線センサを設けてもよい。体動センサ２７は、所謂圧力センサであり、圧力の変化によりコンテンツ利用者の体の動きの有無を検出する。体動センサ２７のセンサ素子は、椅子の座面や背面に配設されている。
【００３４】
次に、情報収集装置５０の電気的構成について図１を参照して説明する。図１に示すように、情報収集装置５０は、所謂パーソナルコンピュータである。情報収集装置５０は、ＣＰＵ５１，ＲＯＭ５２，ＲＡＭ５３，Ｉ／Ｆ５４，及びハードディスク装置（ＨＤＤ）５５を備える。そして、ＲＯＭ５２，ＲＡＭ５３，Ｉ／Ｆ５４，及びハードディスク装置（ＨＤＤ）５５は、バス５６を介して、ＣＰＵ５１に接続している。情報収集装置５０は、Ｉ／Ｆ５４を経由してネットワーク４に接続可能である。
【００３５】
次に、情報提示システム１を構成する端末１０，情報生成装置２０，及び情報収集装置５０において実行される第１の実施形態の処理の概要について説明する。図２は、情報提示システム１で実行される処理の概要を示す説明図である。まず、端末１０において実行される処理の概要について図２を参照して説明する。端末１０では、コンテンツ利用者の指示に応じて、コンテンツが出力部１６に提示（出力）される。また、端末１０では、コンテンツ利用者の指示に応じて（図２において（Ｂ）で図示）、コンテンツ利用者と類似する嗜好を有する類似利用者が付与したコンテンツに対する評価を出力部１６に提示する処理が実行される。以下、コンテンツに対する評価を提示する指示を入力したコンテンツ利用者を、「提示対象利用者」と言う。類似利用者が付与したコンテンツに対する評価は、情報収集装置５０から取得される（図２において（Ｃ）で図示）。
【００３６】
次に、情報生成装置２０において実行される処理の概要について図２を参照して説明する。情報生成装置２０では、コンテンツ利用者が、コンテンツを利用している利用期間に、コンテンツ利用者の生体情報を取得する処理が実行される。また、情報生成装置２０では、取得した生体情報に基づき、コンテンツに対する満足度を算出する処理が実行される。さらに、情報生成装置２０では、算出した満足度をコンテンツ、及びコンテンツ利用者の識別情報とともに情報収集装置５０に送信する処理が実行される（図２において（Ａ）で図示）。
【００３７】
次に、情報収集装置５０において実行される処理の概要について図２を参照して説明する。情報収集装置５０は、情報生成装置２０から送信される（図２において（Ａ）で図示）コンテンツ利用者の生体情報をコンテンツ、及びコンテンツ利用者の識別情報を記憶する。また、情報収集装置５０では、端末１０からの指示に応じて、類似利用者が付与したコンテンツに対する評価を取得し、端末１０に送信する処理が実行される（図２において（Ｂ）（Ｃ）で図示）。
【００３８】
次に、第１の実施形態の情報提示システム１で実行される処理について、以下の順に説明する。まず、端末１０のメイン処理を図３を参照して説明する。次に、情報生成装置２０のメイン処理を図４〜図１０を参照して説明する。次に情報収集装置５０のメイン処理について、図１１〜図１７を参照して説明する。尚、説明を簡単にするために、第１の実施形態の情報提示システム１が、コンテンツ利用者に対して、コンテンツとして映画を提示する場合について説明する。
【００３９】
まず、端末１０のメイン処理を、図３を参照して説明する。図３は、端末１０のメイン処理のフローチャートである。尚、図３に示す各処理を実行させるプログラムは、ＲＯＭ１２（図１参照）に記憶されており、ＣＰＵ１１（図１参照）が実行する。
【００４０】
図３に示すように、端末１０のメイン処理ではまず、ＣＰＵ１１は初期化を実行する（Ｓ５）。Ｓ５において、例えば、ＣＰＵ１１は端末１０の各種処理を実行するためのプログラムを起動させ、初期画面を出力部１６に提示させる。続いて、ＣＰＵ１１はコンテンツ利用の指示が入力されたか否かを判断する（Ｓ１０）。端末１０の利用者が、キー入力部１５を操作して、利用するコンテンツを指定すると、コンテンツ利用の指示がコンテンツＩＤとともに入力される。コンテンツ利用の指示を入力することにより、コンテンツの利用を開始させる端末１０の利用者は、コンテンツ利用者である。コンテンツ利用の指示が入力されていない場合（Ｓ１０：Ｎｏ）の処理は後述する。コンテンツ利用の指示が入力された場合（Ｓ１０：Ｙｅｓ）、ＣＰＵ１１は、コンテンツ利用者のユーザＩＤと、利用するコンテンツのコンテンツＩＤとを情報生成装置２０に送信する（Ｓ１５）。ユーザＩＤは、予めＲＯＭ１２に記憶されていてもよいし、コンテンツ利用の指示とともに利用者に入力させてもよい。
【００４１】
続いて、Ｓ１０において入力されたコンテンツＩＤに対応するコンテンツを出力部１６に提示する（Ｓ２０）。端末１０に提示されるコンテンツは、端末１０が備える記憶装置、端末１０に接続可能な外部記憶装置、情報収集装置５０，及びネットワーク４を介して接続可能な情報提示システム１外の装置のいずれかから取得される。第１の実施形態では、コンテンツとして映画を提示するため、ＣＰＵ１１は出力部１６を構成する表示部に映像を出力させ、スピーカから音声を再生させる。続いて、コンテンツが停止されたか否かを判断する（Ｓ２５）。コンテンツは、コンテンツ停止の指示が入力された場合、又はコンテンツが終了した場合に停止される。コンテンツが停止していない場合には（Ｓ２５：Ｎｏ）、コンテンツが停止するまで待機する。コンテンツが停止した場合には（Ｓ２５：Ｙｅｓ）、後述するＳ９０の処理を実行する。
【００４２】
Ｓ１０において、コンテンツ利用の指示が入力されていない場合（Ｓ１０：Ｎｏ）、ＣＰＵ１１は評価検索の指示が入力されたか否かを判断する（Ｓ３５）。端末１０の利用者が、キー入力部１５を操作して、評価の提示を希望するコンテンツ（以下、「指定コンテンツ」と言う。）を指定すると、評価検索の指示が指定コンテンツのコンテンツＩＤとともに入力される。評価検索の指示を入力し、評価を提示する対象となる端末１０の利用者は、提示対象利用者である。評価検索の指示が入力されていない場合（Ｓ３５：Ｎｏ）の処理は後述する。評価検索の指示が入力された場合（Ｓ３５：Ｙｅｓ）、Ｓ３５において入力されたコンテンツＩＤを指定コンテンツのコンテンツＩＤとして取得し、ＲＡＭ１３に記憶させる（Ｓ４０）。
【００４３】
続いて、検索依頼を情報収集装置５０に送信する（Ｓ４５）。検索依頼は、指定コンテンツに対応する評価の取得を情報収集装置５０に指示するためのコマンドである。検索依頼には、端末１０を識別する端末ＩＤ，提示対象利用者のユーザＩＤ，及び指定コンテンツのコンテンツＩＤが含まれる。続いて、Ｓ４５において送信した検索依頼に対応する検索結果を受信するまで待機する（Ｓ５０：Ｎｏ）。検索結果は、図１３を参照して後述する情報収集装置５０において実行される検索処理において、情報収集装置５０から端末１０に送信される。検索結果を受信した場合（Ｓ５０：Ｙｅｓ）、受信した評価を出力部１６に提示する（Ｓ５５）。Ｓ５５で出力部１６に提示される評価は、図１３を参照して後述する情報収集装置５０の検索処理において送信される満足度である。評価の提示方法は、出力部１６の構成に応じて適宜設定可能である。例えば、出力部１６が備える表示部に評価を表示されてもよいし、スピーカから音声にて評価を報知されてもよい。第１の実施形態では出力部１６が備える表示部に評価が表示される。Ｓ５５の処理により提示対象利用者は、指定コンテンツに対する評価を閲覧することができる。続いて、後述するＳ９０の処理を実行する。
【００４４】
Ｓ３５において、評価検索の指示が入力されていない場合（Ｓ３５：Ｎｏ）、ＣＰＵ１１は、その他の処理を実行する。その他の処理としては、例えば、通常の携帯電話としての機能を実行する処理、メモ編集処理、アドレス編集処理が挙げられる。Ｓ２５，Ｓ５５，又はＳ６０に続いて、ＣＰＵ１１は、電源がＯＦＦにされたか否かを判断する（Ｓ９０）。電源がＯＦＦにされていない場合（Ｓ９０：Ｎｏ）、Ｓ１０に戻り処理を繰り返す。電源がＯＦＦにされた場合（Ｓ９０：Ｙｅｓ）、ＣＰＵ１１は実行中の全ての処理を停止させ（Ｓ９５）、メイン処理を終了させる。以上のように、ＣＰＵ１１は、端末１０のメイン処理を実行する。
【００４５】
次に、情報生成装置２０のメイン処理について、図４〜図１０を参照して説明する。図４は、情報生成装置２０のメイン処理のフローチャートである。図５は、図４のメイン処理において実行されるユーザ監視処理のフローチャートである。図６は、図５のユーザ監視処理において実行される基準値算出処理のフローチャートである。図７は、図５のユーザ監視処理において実行される生体情報取得処理のフローチャートである。図８は、図５のユーザ監視処理において実行される満足度算出処理のフローチャートである。図９は、眠気評価テーブル２０１である。図１０は、体動評価テーブル２０２である。尚、図３〜図８に示す各処理を実行させるプログラムは、ＲＯＭ２２（図１参照）に記憶されており、ＣＰＵ２１（図１参照）が実行する。
【００４６】
図４に示すように、情報生成装置２０のメイン処理ではまず、ＣＰＵ２１は、初期化を実行する（Ｓ１０５）。Ｓ１０５の処理において、ＣＰＵ２１は例えば、プログラムの読み込み、ＲＡＭ２３の記憶エリアに記憶されている値のクリアを実行する。続いて、ＣＰＵ２１は、センサ２５〜２７を起動させる（Ｓ１１０）。続いて、ユーザ監視処理を実行する（Ｓ１１５）。ユーザ監視処理では、コンテンツ利用期間中のコンテンツ利用者の生体情報を取得する処理が実行される。ユーザ監視処理では、さらに、取得した生体情報に基づき、利用されたコンテンツに対する評価として満足度を算出し、情報収集装置５０に送信する処理が実行される。ユーザ監視処理の詳細については、図５〜図１０を参照して後述する。続いて、装置電源がＯＦＦにされていない場合には（Ｓ１２０：Ｎｏ）、Ｓ１１５に戻り処理を繰り返す。電源がＯＦＦにされた場合には（Ｓ１２０：Ｙｅｓ）、実行中の全ての処理を終了させ（Ｓ１２５）、メイン処理を終了させる。以上のように、ＣＰＵ２１は、情報生成装置２０のメイン処理を実行する。
【００４７】
続いて、図４のメイン処理のＳ１１５において実行されるユーザ監視処理について図５〜図１０を参照して説明する。図５に示すように、ユーザ監視処理ではまず、ＣＰＵ２１は、端末１０から情報を取得するまで待機する（Ｓ１５５：Ｎｏ）。Ｓ１５５における情報とは、図３に示す、端末１０のメイン処理のＳ１５において、情報生成装置２０に送信される情報である。情報を取得した場合（Ｓ１５５：Ｙｅｓ）、ＣＰＵ２１は基準値算出処理を実行する（Ｓ１６０）。基準値算出処理を、図６を参照して説明する。
【００４８】
図６に示すように基準値算出処理では、ＣＰＵ２１はまず、タイマをリセットする（Ｓ２００）。タイマは、生体情報を取得する期間の計測に用いられ、別途実行されるプログラムにより所定時間毎に更新されＲＡＭ２３に記憶される。続いて、呼吸センサ２５に呼吸数のカウントを開始させる（Ｓ２０５）。呼吸数は、公知のプログラムにより別途カウントされ、随時ＲＡＭ２３に記憶される。続いて、脈拍センサ２６に脈拍数のカウントを開始させる（Ｓ２１０）。脈拍数は、公知のプログラムにより別途カウントされ、随時ＲＡＭ２３に記憶される。続いて、Ｓ２００においてタイマをリセットしてから１分間が経過するまで待機する（Ｓ２１５：Ｎｏ）。１分間が経過した場合には（Ｓ２１５：Ｙｅｓ）、ＲＡＭ２３に記憶されている呼吸数、及び脈拍数を基準値にセットし、ＲＡＭ２３に記憶させる（Ｓ２２０）。第１の実施形態では、Ｓ２２０の処理により、コンテンツ利用開始時期における、コンテンツ利用者の１分間の呼吸数及び脈拍数が基準値として取得される。続いて、ＲＡＭ２３に記憶されているタイマ、計測中の呼吸数、及び脈拍数をリセットし（Ｓ２２５）、センサ２５〜２７に、呼吸数、脈拍数、及び体動回数のカウントを新たに開始させる。体動回数は、体動センサ２７により、所定値以上の圧力変化が検出された場合に１増加（インクリメント）され、随時ＲＡＭ２３に記憶される。続いて、図５のユーザ監視処理に戻る。
【００４９】
引き続き、図５を参照してユーザ監視処理を説明する。Ｓ１６０に続いて、ＣＰＵ２１は生体情報取得処理を実行する（Ｓ１６５）。生体情報取得処理について、図７を参照して説明する。図７に示す生体情報取得処理は、コンテンツ利用者の生体情報を、１分間隔で経時的に取得する処理である。具体的にはまず、ＣＰＵ２１は、タイマを参照し、前回タイマがリセットされてから、１分間経過するまで待機する（Ｓ２５０：Ｎｏ）。１分間経過した場合（Ｓ２５０：Ｙｅｓ）、ＲＡＭ２３を参照し、計測中の脈拍数を１分毎の脈拍数として取得し、ＲＡＭ２３に記憶する（Ｓ２５５）。同様に、１分毎の呼吸数、及び１分毎の体動回数をそれぞれ、ＲＡＭ２３に記憶させる（Ｓ２６０，Ｓ２６５）。続いて、ＲＡＭ２３に記憶されているタイマ、計測中の呼吸数、及び脈拍数をリセットし（Ｓ２７０）、センサ２５〜２７に、計測中の呼吸数、脈拍数、及び体動回数のカウントを新たに開始させる。続いて、図５のユーザ監視処理に戻る。
【００５０】
引き続き、図５を参照してユーザ監視処理を説明する。Ｓ１６５に続いて、ＣＰＵ２１はコンテンツ利用者が、離席したか否かを判断する（Ｓ１７０）。具体的には、体動センサ２７の出力に基づき、コンテンツ利用者が、情報生成装置２０が内蔵されている椅子に座っているか否かを判断する。コンテンツ利用者が離席していない場合（Ｓ１７０：Ｎｏ）、Ｓ１６５に戻り処理を繰り返す。コンテンツ利用者が離席した場合（Ｓ１７０：Ｙｅｓ）、満足度算出処理を実行する。第１の実施形態では、コンテンツ利用者が離席した場合に、コンテンツの利用が終了したとみなしている。このため、コンテンツ利用者が離席した場合（Ｓ１７０：Ｙｅｓ）、満足度算出処理を実行する。満足度算出処理について、図８を参照して説明する。
【００５１】
図８に示すように、満足度算出処理では、ＣＰＵ２１はまず、ＲＡＭ２３を参照し、１分毎に取得した呼吸数、脈拍数、及び体動回数の平均値をそれぞれ算出し、ＲＡＭ２３に記憶させる（Ｓ２７５）。続いて、呼吸ポイント、脈拍ポイント、及び体動ポイントを算出し、ＲＡＭ２３に記憶させる（Ｓ２８０）。呼吸ポイント、及び脈拍ポイントは、次のように求める。一例として呼吸ポイントの算出方法について説明するが、脈拍ポイントの算出方法についても同様である。まず、Ｓ２７５で求めた呼吸数の平均値と、図６のＳ２２０でセットした呼吸数の基準値との差を、呼吸数の基準値で除した計算値を算出する。次に、算出した計算値と、図９に示す眠気評価テーブル２０１とを比較して、呼吸ポイントを求める。体動ポイントは、Ｓ２７５で求めた体動回数の平均値と、図１０に示す体動評価テーブル２０２とを比較して求める。尚、眠気評価テーブル２０１，及び体動評価テーブル２０２は、ＲＯＭ２２に記憶されている。続いて、満足度を算出し、ＲＡＭ２３に記憶させる（Ｓ２８５）。満足度は、Ｓ２８０で算出した呼吸ポイント、脈拍ポイント、及び体動ポイントの合計値であり、１〜１０の整数で表される。続いて、図５のユーザ監視処理に戻る。
【００５２】
引き続き、図５を参照してユーザ監視処理を説明する。Ｓ１７５に続いて、データを情報収集装置５０に送信する（Ｓ１８０）。Ｓ１８０のデータには、Ｓ１５５において取得された情報、及び図８のＳ２８５で求めた満足度が含まれる。続いて、ユーザ監視処理を終了し、図４のメイン処理に戻る。以上のように、ＣＰＵ２１は、ユーザ監視処理を実行する。
【００５３】
次に、情報収集装置５０のメイン処理について、図１１〜図１７を参照して説明する。図１１は、情報収集装置５０のメイン処理のフローチャートである。図１２は、コンテンツ利用履歴ＤＢ２０３の説明図である。図１３は、図１１のメイン処理において実行される検索処理のフローチャートである。図１４は、図１３の検索処理において実行される評価検索処理のフローチャートである。図１５〜図１７は、類似利用者の決定方法の説明図である。尚、図１１，図１３及び図１４に示す各処理を実行させるプログラムは、ＲＯＭ５２（図１参照）に記憶されており、ＣＰＵ５１（図１参照）が実行する。
【００５４】
図１１に示すように、情報収集装置５０のメイン処理では、ＣＰＵ５１はまず、初期化を実行する（Ｓ３０５）。Ｓ３０５では、ＣＰＵ５１は、例えば、プログラムの読み込みを実行する。続いて、データを受信したか否かを判断する（Ｓ３１０）。Ｓ３１０におけるデータとは、図５に示すユーザ監視処理のＳ１８０において情報生成装置２０から送信されるデータである。データを受信した場合（Ｓ３１０：Ｙｅｓ）、ＣＰＵ５１は、コンテンツ利用履歴ＤＢ２０３を更新する（Ｓ３１５）。コンテンツ利用履歴ＤＢ２０３は、ＨＤＤ５５（図１参照）に設けられており、例えば、図１２のコンテンツ利用履歴ＤＢ２０３に示す項目が記憶されている。図１２に示すように、コンテンツ利用履歴ＤＢ２０３には、ユーザ情報２０４と、コンテンツ情報２０５とが記憶されている。ユーザ情報２０４は、コンテンツ利用者の属性を表す情報として、ユーザＩＤ，性別、年齢、未婚か既婚か、及び子供の人数を含む。ユーザ情報２０４に含まれる情報は、別途実行されるプログラムにより、コンテンツ利用者が、初めて情報提示システム１を利用するときに取得される。コンテンツ情報２０５は、コンテンツに関する情報として、コンテンツＩＤ，コンテンツのジャンル、邦画か洋画か、及び満足度を含む。コンテンツ情報２０５に含まれるコンテンツのジャンル、邦画か洋画かは、別途ＨＤＤ５５に設けられているコンテンツＤＢ（図示略）から取得される。データを受信した場合には（Ｓ３１０：Ｙｅｓ）、ＣＰＵ５１は、データに含まれるユーザＩＤに対応するコンテンツ利用履歴ＤＢ２０３に、データに含まれるコンテンツＩＤ及び満足度を追加する。さらにＣＰＵ５１は、さらにコンテンツＤＢからそのコンテンツＩＤに対応するコンテンツのジャンル、及び邦画か洋画かの情報を追加して、ＨＤＤ５５に記憶させる（Ｓ３１５）。
【００５５】
Ｓ３１０において、データを受信していない場合（Ｓ３１０：Ｎｏ）、ＣＰＵ５１は、検索依頼を受信したか否かを判断する（Ｓ３２０）。検索依頼は、図３に示す端末１０のメイン処理のＳ４５において、端末１０から送信される。検索依頼を受信した場合（Ｓ３２０：Ｙｅｓ）、ＣＰＵ５１は検索処理を実行する（Ｓ３３０）。検索処理では、検索依頼に含まれるコンテンツＩＤに対応する評価を検索し、検索依頼を送信した端末１０に送信する処理が実行される。検索処理の詳細は、図１３〜図１７を参照して後述する。Ｓ３１５，若しくはＳ３３０に続いて、又は検索依頼を受信していない場合（Ｓ３２０：Ｎｏ）には、Ｓ３１０に戻り、処理を繰り返す。以上のように、ＣＰＵ５１は情報収集装置５０のメイン処理を実行する。
【００５６】
次に、図１１のメイン処理のＳ３３０において実行される検索処理を、図１３〜図１７を参照して説明する。図１３に示すように、検索処理では、図１１のＳ３２０において受信した検索依頼に含まれる、ユーザＩＤとコンテンツＩＤとを特定し、ＲＡＭ５３に記憶させる（Ｓ３５０）。Ｓ３５０において特定されるユーザＩＤは、提示対象利用者のユーザＩＤであり、Ｓ３５０において特定されるコンテンツＩＤは、指定コンテンツのコンテンツＩＤである。続いて、ＣＰＵ５１は、評価検索処理を実行する（Ｓ３５５）。評価検索処理の詳細を、図１４を参照して説明する。
【００５７】
図１４に示すように、評価検索処理では、ＣＰＵ５１はまず、図１３のＳ３５０で特定したユーザＩＤに基づき、提示対象利用者の嗜好情報を特定する（Ｓ３８０）。第１の実施形態では、コンテンツ利用履歴ＤＢ２０３に含まれる、コンテンツＩＤと、満足度とを嗜好情報とする。続いて、コンテンツ利用履歴ＤＢ２０３に含まれる嗜好情報に基づき、提示対象利用者と嗜好が類似する類似利用者を決定する（Ｓ３８５）。類似利用者の決定方法を、図１５〜図１７を参照して説明する。説明を簡単にするために、提示対象利用者のユーザＩＤを３０１とし、コンテンツ利用履歴ＤＢには、ユーザＩＤ３０２〜３０６が登録されているものとする。また、各ユーザＩＤ３０１〜３０６で表されるコンテンツ利用者の生体情報に基づき、コンテンツＩＤ１０１〜１０７で示されるコンテンツに対し、図１５に示す満足度が算出されたものとする。尚、図１５〜図１７において「−」は、コンテンツＩＤに対応するコンテンツが未利用であることを示している。
【００５８】
まず、図１５のテーブル２１０において、ユーザＩＤ３０１と、ユーザＩＤ３０２〜３０６とについて利用コンテンツを比較し、利用コンテンツの一致率の高いユーザＩＤを取得する。利用コンテンツの一致率は、ユーザＩＤ３０１が利用した複数のコンテンツの内、ユーザＩＤ３０２〜３０６のそれぞれが利用したコンテンツの数により求める。テーブル２１０に示すように、ユーザＩＤ３０１は、コンテンツＩＤ１０１，１０３，１０５及び１０６で表されるコンテンツを利用している。したがって、ＣＰＵ５１は、利用コンテンツの一致率から、図１６のテーブル２１１に示す、ユーザＩＤ３０２，３０３，３０５，及び３０６を取得する。続いて、ユーザＩＤ３０１と、ユーザＩＤ３０２，３０３，３０５，及び３０６とで、一致する利用コンテンツの満足度を比較し、満足度の一致率が高いユーザＩＤを取得する。ＣＰＵ５１は、利用コンテンツに対する満足度の一致率から、図１７のテーブル２１２に示す、ユーザＩＤ３０２，及び３０６を取得する。以上のように、ＣＰＵ５１は、類似利用者のユーザＩＤとして、ユーザＩＤ３０２，及び３０６を決定する。
【００５９】
Ｓ３８５に続いて、ＣＰＵ５１は、Ｓ３８５で決定した類似利用者のコンテンツ情報に含まれる、指定コンテンツを検索する（Ｓ３９０）。指定コンテンツは、図１３の検索処理のＳ３５０において取得したコンテンツＩＤにより特定する。続いて、類似利用者のコンテンツ情報に含まれる、指定コンテンツに対応する満足度を取得し、ＲＡＭ５３に記憶させる（Ｓ３９５）。指定コンテンツのコンテンツＩＤが１０２である場合、図１７のテーブル２１２のユーザＩＤ３０２に対応する満足度「８」を取得する。尚、図１７のテーブル２１２のユーザＩＤ３０６は、指定コンテンツを未利用であるため、満足度を取得できない。続いて、図１３の検索処理に戻る。
【００６０】
引き続き、図１３を参照して検索処理を説明する。Ｓ３５５に続いて、図１４のＳ３９５で取得した満足度を、検索依頼を送信した端末１０に送信する（Ｓ３６０）。検索依頼を送信した端末１０は、図１１のＳ３２０において受信した検索依頼に含まれる端末１０の端末ＩＤに基づき特定される。続いて、図１１のメイン処理に戻る。以上のように、ＣＰＵ５１は、検索処理を実行する。
【００６１】
尚、図３に示す、端末１０のメイン処理のＳ４０において、提示対象利用者から指定された指定コンテンツを取得する、図１に示すＣＰＵ１１は、本発明のコンテンツ取得手段として機能する。図７に示す生体情報取得処理において、利用期間中にコンテンツ利用者の生体情報として、呼吸数、脈拍数、及び体動回数を取得する（Ｓ２５５，Ｓ２６０，Ｓ２６５）ＣＰＵ２１は、本発明の生体情報取得手段として機能する。図８に示す満足度算出処理において、取得した生体情報に基づき、コンテンツに対する評価として、満足度を付与する（Ｓ２８５）ＣＰＵ２１は、本発明の評価付与手段として機能する。図１１に示す、情報収集装置５０のメイン処理のＳ３１０において、付与された評価を、コンテンツＩＤ及びコンテンツ利用者のユーザＩＤと対応付けて取得するＣＰＵ５１は、本発明の評価取得手段として機能する。図１１に示す、情報収集装置５０のメイン処理のＳ３１０において、コンテンツ利用者が利用したコンテンツのコンテンツＩＤ及び付与された満足度を嗜好情報として取得するＣＰＵ５１は、本発明の嗜好情報取得手段として機能する。図１３に示す検索処理のＳ３５０において、コンテンツ情報を提示する対象となるコンテンツ利用者を提示対象利用者として特定するＣＰＵ５１は、本発明の提示対象利用者特定手段として機能する。図１４に示す評価検索処理のＳ３８５において、嗜好情報に基づき、提示対象利用者とは異なるコンテンツ利用者の中から、類似利用者を決定するＣＰＵ５１は、本発明の類似利用者決定手段として機能する。図３に示す、端末１０のメイン処理のＳ５５において、指定コンテンツに対応する類似利用者の評価を出力部１６に提示させ、提示対象利用者に提示するＣＰＵ１１は、本発明の情報提示手段として機能する。
【００６２】
以上詳述した、情報提示システム１によれば、コンテンツの評価として提示対象利用者の嗜好情報と類似する嗜好情報を有する類似利用者の評価である満足度が、提示対象利用者が利用する端末１０の出力部１６に提示される。提示される満足度は、コンテンツを利用している利用期間中に類似利用者から取得された生体情報に基づき付与されたものである。具体的には、満足度は、体動回数、脈拍数、及び呼吸数に基づき算出される。体動回数からは、落ち着いてコンテンツを利用していたか否かを把握することができる。このため、コンテンツ利用者が落ち着いてコンテンツを利用していたか否かを反映した客観的な満足度を得ることができる。また、一般に、眠気を催しているときには脈拍数が低下し、興奮している場合には脈拍数が上昇する。さらに、眠気を催しているときには呼吸数が低下し、興奮している場合には呼吸数が上昇する。このため、脈拍数、及び呼吸数を用いて満足度を求めれば、利用期間中にコンテンツ利用者が集中してコンテンツを利用していたか否かを的確に把握することが可能である。このようにコンテンツ利用者の生体情報に基づき求めた満足度は、コンテンツ利用者の主観に左右されない客観的な評価であると言える。尚、コンテンツ利用者の生体情報は利用期間中に自動的に取得されるため、コンテンツ利用者がコンテンツの評価や生体情報を入力する必要はない。
【００６３】
また、情報提示システム１では、提示対象利用者が利用したコンテンツと類似するコンテンツを利用し、生体情報に基づき同様の満足度が求められているコンテンツ利用者を類似利用者としている。このため、類似利用者を適切に決定することができる。よって、提示対象利用者と嗜好が類似していないと推定されるコンテンツ利用者の満足度に比べ、提示対象利用者にとって信頼性が高い満足度を取得可能である。したがって、提示対象利用者は、情報提示システム１により提示された満足度に基づき、指定コンテンツが自分の興味や嗜好に適合しているか否かを適切に判断することができる。
【００６４】
ところで、上記第１の実施形態では、指定コンテンツに対応する満足度を取得し、提示対象利用者に提示していた。以下に示す第２の実施形態のように、指定コンテンツに対応する満足度に代えて、提示対象利用者が利用していない未利用コンテンツのコンテンツ情報を提示してもよい。以下、第２の実施形態について図１８〜図２１を参照して説明する。尚、第２の実施形態の情報提示システム１の構成は、第１の実施形態の情報提示システム１と同様であるので説明を省略する。
【００６５】
まず、図１８を参照して、第２の実施形態の情報提示システム１において実行される処理の概要を説明する。図１８は、情報提示システム１で実行される処理の概要を示す説明図である。まず、端末１０において実行される処理の概要について説明する。端末１０では、コンテンツ利用者の指示に応じて、コンテンツが出力部１６に提示される。また、端末１０では、コンテンツ利用者の指示に応じて、類似利用者の生体情報に基づき付与されたコンテンツに対する評価を出力部１６に提示する処理が実行される。類似利用者が付与したコンテンツに対する評価は、情報収集装置５０から取得される（図１８において（Ｄ）で図示）。次に、情報収集装置５０において実行される処理の概要について図２を参照して説明する。情報収集装置５０は、情報生成装置２０から送信される（図１８において（Ａ）で図示）コンテンツ利用者の生体情報をコンテンツ、及びコンテンツ利用者の識別情報を記憶する。また、情報収集装置５０では、端末１０からの指示に応じて、類似利用者の利用コンテンツの評価に基づき、提示対象利用者の未利用コンテンツ取得し、端末１０に送信する処理が実行される（図１８において（Ｄ）（Ｅ）で図示）。尚、情報生成装置２０において実行される処理は、第１の実施形態と同様である。
【００６６】
次に、情報提示システム１で実行される第２の実施形態の処理について、以下の順に説明する。まず、端末１０のメイン処理を、図１９を参照して説明する。次に、情報収集装置５０のメイン処理において実行される検索処理について、図２０及び図２１を参照して説明する。前述のように、情報生成装置２０において実行される処理は、第１の実施形態と同様であるので説明を省略する。
【００６７】
まず、端末１０のメイン処理を、図１９を参照して説明する。図１９は、端末１０のメイン処理のフローチャートである。尚、図１９に示す各処理を実行させるプログラムは、ＲＯＭ１２（図１参照）に記憶されており、ＣＰＵ１１（図１参照）が実行する。図１９において、図３に示す第１の実施形態の端末１０のメイン処理と同様の処理を行う場合には、同じステップ番号を付与している。
【００６８】
図１９に示すように、第２の実施形態の端末１０のメイン処理では、Ｓ３５〜Ｓ５５の処理に代えて、Ｓ６５〜Ｓ８０の処理が実行される点で、図３に示す第１の実施形態の端末１０のメイン処理と異なる。第１の実施形態と同様な処理については説明を省略し、以下、Ｓ６５〜Ｓ８０の処理について、図１９を参照して説明をする。Ｓ６５では、ＣＰＵ１１はコンテンツ検索の指示が入力されたか否かを判断する（Ｓ６５）。端末１０の利用者が、キー入力部１５を操作して、コンテンツ検索を指定すると、コンテンツ検索の指示がユーザＩＤとともに入力される。コンテンツ検索の指示を入力し、未利用コンテンツを提示する対象となる端末１０の利用者は、提示対象利用者である。コンテンツ検索の指示が入力されていない場合（Ｓ６５：Ｎｏ）は、第１の実施形態と同様のＳ６０を実行する。コンテンツ検索の指示が入力された場合（Ｓ６５：Ｙｅｓ）、検索依頼を情報収集装置５０に送信する（Ｓ７０）。検索依頼は、評価対象利用者が利用していない未利用コンテンツの取得を情報収集装置５０に指示するためのコマンドである。検索依頼には、端末１０を識別する端末ＩＤ，及びユーザＩＤが含まれる。続いて、Ｓ７０において送信した検索依頼に対応する検索結果を受信するまで待機する（Ｓ７５：Ｎｏ）。検索結果を受信した場合（Ｓ７５：Ｙｅｓ）、受信したコンテンツＩＤを出力部１６に提示する（Ｓ８０）。Ｓ８０で出力部１６に提示されるコンテンツＩＤは、図２０を参照して後述する第２の実施形態の情報収集装置５０の検索処理において送信されたコンテンツＩＤである。続いて、ＣＰＵ１１は実行中の全ての処理を停止させ（Ｓ９５）、メイン処理を終了させる。以上のように、ＣＰＵ１１は、端末１０のメイン処理を実行する。
【００６９】
次に、情報収集装置５０のメイン処理において実行される検索処理について、図２０及び図２１を参照して説明する。図２０は、メイン処理で実行される検索処理のフローチャートである。図２１は、図２０の検索処理で実行されるコンテンツ検索処理のフローチャートである。尚、図２０及び図２１に示す各処理を実行させるプログラムは、ＲＯＭ５２（図１参照）に記憶されており、ＣＰＵ５１（図１参照）が実行する。
【００７０】
図示しないが、情報収集装置５０のメイン処理は、Ｓ３３０の検索処理において、図１１に示す第１の実施形態の情報収集装置５０のメイン処理と異なる。第１の実施形態と同様な処理については説明を省略し、以下、Ｓ３３０の検索処理について図２０及び図２１を参照して説明をする。図２０に示すように、第２の実施形態の検索処理では、図１１のＳ３２０において受信した検索依頼に含まれる、ユーザＩＤを特定し、ＲＡＭ５３に記憶させる（Ｓ４０５）。続いて、ＣＰＵ５１は、コンテンツ検索処理を実行する（Ｓ４１０）。コンテンツ検索処理の詳細を、図２１を参照して説明する。
【００７１】
図２１に示すように、コンテンツ検索処理では、ＣＰＵ５１はまず、図２０のＳ４０５で特定したユーザＩＤに基づき、提示対象利用者の嗜好情報を特定する（Ｓ４５０）。第１の実施形態と同様に、コンテンツ利用履歴ＤＢ２０３に含まれる、コンテンツＩＤと、満足度とを嗜好情報とする。続いて、ＣＰＵ５１は、コンテンツ利用履歴ＤＢ２０３に含まれる嗜好情報に基づき、提示対象利用者と嗜好が類似する類似利用者を決定する（Ｓ４５５）。類似利用者の決定方法は、第１の実施形態と同様である。続いて、類似利用者のコンテンツ情報に含まれる、提示対象利用者が利用していない未利用コンテンツを検索し、取得する（Ｓ４６０）。続いて、Ｓ４６０で検索した未利用コンテンツのコンテンツＩＤを取得し、ＲＡＭ５３に記憶させる（Ｓ４６５）。図１７に示す例では、ユーザＩＤ３０１の未利用コンテンツのコンテンツＩＤとして、１０２，１０４，及び１０７が取得される。第２の実施形態では、複数の未利用コンテンツが取得された場合、Ｓ４５５で決定した類似利用者の満足度が最も高いコンテンツＩＤを取得する。したがって、コンテンツＩＤ１０２，１０４，及び１０７の中から、類似利用者３０６の満足度が「１０」と最も高いコンテンツＩＤ１０４を取得する。続いて、図２０の検索処理に戻る。
【００７２】
引き続き、図２０を参照して検索処理を実行する。Ｓ４１０に続いて、ＣＰＵ５１は、図２１のＳ４６５で取得したコンテンツＩＤを、検索依頼を送信した端末１０に送信する（Ｓ４１５）。検索依頼を送信した端末１０の特定方法は、第１の実施形態の場合と同様である。以上のように、ＣＰＵ１１は、検索処理を実行する。
【００７３】
尚、図２１に示すコンテンツ検索処理のＳ４６０において、類似利用者により利用されたコンテンツのうち、提示対象利用者に利用されていない未利用コンテンツを検索、取得するＣＰＵ５１は、本発明の未利用コンテンツ取得手段として機能する。また図１９に示す、端末１０のメイン処理のＳ８０において、未利用コンテンツの内、満足度の最も高い未利用コンテンツに対応するコンテンツＩＤを前記提示対象利用者に提示するＣＰＵ１１は、本発明の情報提示手段として機能する。
【００７４】
以上説明した、第２の実施形態の情報提示システム１によれば、提示対象利用者が未利用のコンテンツについて、満足度が最も高い未利用コンテンツを容易に取得することができる。提示される未利用コンテンツの選定に用いられる満足度は、コンテンツを利用している利用期間中に類似利用者から取得された生体情報に基づき付与されたものである。このため、満足度は、類似利用者の主観に左右されない客観的な評価であると言える。さらに、提示対象利用者と嗜好が類似していないと推定されるコンテンツ利用者の評価に比べ、類似利用者の評価は提示利用者にとって信頼性が高い評価である。
【００７５】
また、類似利用者は、嗜好情報に基づき決定されているため、提示対象利用者と同様な嗜好を有すると推定される。このため、提示される未利用コンテンツは、類似利用者の満足度に基づき、提示対象利用者の嗜好に適合すると推定される。したがって、提示対象利用者は、情報提示システムにより提示された未利用コンテンツに基づき、自分の興味や嗜好に適合したコンテンツを容易に見つけることができる。また、第１の実施形態とは異なり、提示対象利用者は、コンテンツを指定することなく、未利用コンテンツのコンテンツ情報を提示させることができる。このため、提示対象利用者の嗜好に適合すると推定される未利用コンテンツで、且つ、提示対象利用者が把握していないコンテンツのコンテンツ情報を提示させることが可能である。
【００７６】
尚、本発明は、以上詳述した第１及び第２の実施形態に限定されるものではなく、本発明の要旨を逸脱しない範囲内において種々変更を加えてもよい。例えば、次の（１）〜（１５）に示す変形を加えてもよい。
【００７７】
（１）上記実施形態では、情報提示システム１は、端末１０と、情報生成装置２０と、情報収集装置５０とを備えていたが、情報提示システムのシステム構成は適宜変更可能である。例えば、コンテンツ利用に用いる端末と、評価又は未利用コンテンツの提示に用いる端末とを分けてもよい。また例えば、端末１０と情報生成装置２０とが一体になっていてもよい。情報提示システム１の各構成要素において実行される処理は、システム構成に応じて適宜変更可能である。例えば、上記実施形態では、情報生成装置２０において、コンテンツに対する評価として満足度を算出していたが、評価算出の一部又は全部の処理を情報収集装置５０において実行させてもよい。また、上記実施形態では、コンテンツに対する評価を、情報生成装置２０から情報収集装置５０に送信させていたが、これに限定されない。例えば、情報生成装置２０から端末１０を介して、コンテンツに対する評価を情報収集装置５０に送信させてもよい。このようにした場合、情報生成装置２０は、端末１０のみと通信できればよく、情報生成装置２０の通信装置を簡略化することができる。
【００７８】
（２）情報提示システム１が備える、端末１０，情報生成装置２０，及び情報収集装置５０の構成は適宜変更可能である。例えば、情報収集装置５０は、必要に応じて、フラッシュメモリ及びＥＥＰＲＯＭ等の、ＲＯＭ５２，ＲＡＭ５３，及びＨＤＤ５５以外の記憶装置を設けてもよい。また、情報収集装置５０は、ＣＤ−ＲＯＭドライブ等の記憶媒体と接続可能なコネクタを備えてもよい。端末１０，及び情報生成装置２０についても同様である。
【００７９】
（３）上記実施形態では、コンテンツとして映画を利用する場合を例示したが、これに限定されない。コンテンツとして、例えば、ウェブページ、動画（テレビ番組、映画等）、音楽、文章ファイル、表計算ファイルが挙げられる。また、利用者に提示するコンテンツに応じて、端末１０に代えて、携帯電話以外の装置を用いてもよい。例えば、端末１０に代えて、ＰＣ，携帯端末、テレビ、及び音楽再生装置が用いてもよい。
【００８０】
（４）上記実施形態では、生体情報として、呼吸数、脈拍数、及び体動回数を取得していたが、生体情報の種類は変更可能である。生体情報として、例えば、脳波、利用者の体温、皮膚表面温度、及び発汗度を用いてもよい。これらの場合、生体情報の種類に応じて、センサの種類、設置場所、取得頻度を適宜変更すればよい。また、生体情報の種類は、１以上であればよい。
【００８１】
（５）生体情報として体動情報を用いる場合、体動情報の内容や、体動情報を取得するためのセンサは、上記実施形態の場合に限定されず適宜変更可能である。体動情報の内容として、例えば、体を動かしていない時間を採用してもよい。一般に、落ち着いてコンテンツを利用している期間には、コンテンツ利用者は体を動かさずにコンテンツを利用する。このため、体動情報として体を動かしていない時間を用いれば、コンテンツ利用者が落ち着いてコンテンツを利用していたか否かを反映した客観的な評価を得ることができる。また、体動情報の内容として、例えば、コンテンツ利用者が所定の動きをした回数を用いてもよい。所定の動きとして、例えば、前のめりになる動き、あくびをする動きが挙げられる。この場合、例えば、センサとしてＣＣＤカメラ等のカメラを用い、取得した画像を公知の方法により解析することによりコンテンツ利用者の所定の動きを検出すればよい。また、上記実施形態では体動情報の種類は、１種類（体動回数）であったが、複数種類の体動情報を取得してもよい。
【００８２】
（６）生体情報として眠気情報を用いる場合、眠気情報の内容や、眠気情報を取得するためのセンサは、上記実施形態の場合に限定されず適宜変更可能である。眠気情報の内容として、例えば、皮膚表面温度や脳波を用いてもよい。一般に、眠気を催している場合には、皮膚表面温度が低下する。このため皮膚表面温度によっても、眠気を適切に把握することができる。この場合、眠気情報を取得するためのセンサは、眠気情報の内容に応じて適宜選択すればよい。また、上記実施形態では眠気情報の種類は２種類（呼吸数、脈拍数）であったが、１種類の眠気情報を取得してもよいし、３種以上の眠気情報を取得してもよい。
【００８３】
（７）コンテンツの評価に内容は、利用期間中のコンテンツ利用者の生体情報に基づき算出されればよく、上記実施形態の満足度に限定されない。例えば、コンテンツの評価として、例えば、集中度、驚き度、リラックス度、眠気度、及び恐怖度から選ばれた１又は複数を用いてもよい。また、複数種類の評価をコンテンツ利用履歴に登録する場合、第１の実施形態において、どの評価の提示を希望するかを提示対象利用者に指定させてもよい。例えば、評価の提示を希望するコンテンツが、リラックスできるものであるか否かを知りたい場合に、リラックス度の評価を提示させる。このようにすれば、提示対象利用者は、希望する観点から付与された評価を容易に取得することができる。
【００８４】
（８）コンテンツの評価は、利用期間中のコンテンツ利用者の生体情報に基づき算出されればよく、評価算出のタイミングは、上記実施形態に限定されない。例えば、上記実施形態では、図５に示すユーザ監視処理において、コンテンツ利用者が離席した場合に（Ｓ１７０：Ｙｅｓ）、満足度を算出していたが（Ｓ１７５）、これに限定されない。例えば、端末１０において、コンテンツの利用が停止された場合に、満足度を算出してもよい。この場合、図３に示す、端末１０のメイン処理のＳ２５において、コンテンツの利用が停止された場合に（Ｓ２５：Ｙｅｓ）、コンテンツ停止の信号を、情報生成装置２０に送信させればよい。さらに例えば、コンテンツ利用者が離席している期間を除外して、利用期間を求めてもよい。この場合、コンテンツ利用者が一時的にコンテンツの利用を停止した場合にも、適切に満足度を算出することができる。
【００８５】
（９）コンテンツの評価は、利用期間中のコンテンツ利用者の生体情報に基づき算出されればよく、評価算出方法は、上記実施形態に限定されない。例えば、生体情報として、呼吸数、脈拍数、及び体動回数を用いる場合、これらの計測値を所定の式に代入して評価を算出してもよい。また、算出される評価は数字で表される値に限定されず、例えば、文字列、記号で表されてもよい。
【００８６】
（１０）上記実施形態では、嗜好情報としてコンテンツＩＤと満足度とを用いて、類似利用者を決定していたが、他の情報を用いて類似利用者を決定してもよい。類似利用者の決定に用いる嗜好情報は、コンテンツ情報、又はユーザ情報の中に含まれる情報の任意の組合せを用いればよい。例えば、嗜好情報としてコンテンツを内容によって区分したジャンルを用いてもよい。提示対象利用者が利用したコンテンツのジャンルと同一又は類似するジャンルのコンテンツを利用するコンテンツ利用者であれば、提示対象利用者と類似する嗜好を有していると推定される。よって、コンテンツに内容に基づき予め区分したジャンルを含む嗜好情報に基づき類似利用者を決定すれば、類似利用者を適切に選定することができる。
【００８７】
（１１）上記実施形態では、類似利用者の決定方法は適宜変更可能である。例えば、嗜好情報の一致度を点数化し、点数が最も高いコンテンツ利用者を類似利用者としてもよい。
【００８８】
（１２）上記第１の実施形態では、指定コンテンツに対して類似利用者の生体情報に基づき付与された評価を取得し、提示対象利用者に提示していたが、提示する評価の選定方法は種々変更可能である。例えば、提示する評価の数について、具体例のように類似利用者が複数決定された場合には、類似利用者毎に評価を提示してもよい。また例えば、提示する評価の選定条件について、複数の類似利用者の中から所定条件に基づき、所定数の類似利用者をさらに決定し、決定された類似利用者の評価を提示してもよい。所定条件としては、例えば、指定コンテンツの利用時期が所定期間内である条件が挙げられる。この場合、提示対象利用者が希望する期間に付与された評価を取得することができる。さらに、提示対象利用者に指定コンテンツを指定させず、類似利用者が利用したコンテンツについて評価及びコンテンツＩＤ等を取得し、提示対象利用者に提示してもよい。このようにした場合にも、提示対象利用者は、情報提示システムにより提示された評価及びコンテンツＩＤ等のコンテンツ情報に基づき、自分の興味や嗜好に適合したコンテンツを容易に見つけることができる。
【００８９】
（１３）上記第２の実施形態では、未利用コンテンツのコンテンツＩＤを、類似利用者の評価に従って取得し、提示していたが、他のコンテンツ情報を提示してもよい。未利用コンテンツのコンテンツ情報として、例えば、コンテンツを提示してもよい。この場合、提示対象利用者は、類似利用者の評価に基づき推薦された未利用コンテンツを迅速に取得、利用することが可能である。また例えば、未利用コンテンツのコンテンツ情報として、コンテンツＩＤ，タイトル、ジャンル、制作者、制作時期、及びコンテンツの評価等、コンテンツに関わる情報の組合せを提示してもよい。この場合、提示対象利用者は、類似利用者の評価に基づき推薦された未利用コンテンツを迅速に取得、利用することが可能である。さらに、提示対象利用者に提示される未利用コンテンツのコンテンツ情報は、類似利用者の評価が高い順に取得された所定数の未利用コンテンツのコンテンツ情報であればよい。
【００９０】
（１４）上記第１の実施形態における評価の提示方法、上記第２の実施形態における未利用コンテンツの提示方法は、情報提示システムが備える出力部に応じて適宜変更可能である。例えば、出力部としてスピーカのみを備える場合には、音声により報知することにより、評価又は未利用コンテンツを提示してもよい。
【００９１】
（１５）上記第１及び第２の実施形態を組合せ、指定コンテンツに対する評価を提示するか、未利用コンテンツを提示させるかを、提示対象利用者に選択させてもよい。この場合、端末１０では、図２２に示す処理を実行させればよい。図２２において、図３に示す第１の実施形態のメイン処理、又は図１９に示す第２の実施形態と同様な処理を行う箇所には同じステップ番号を付与している。情報収集装置５０では、第１の実施形態と同様なメイン処理で実行される検索処理において、図２３に示す処理を実行させればよい。図２３において、図１３に示す第１の実施形態の検索処理、又は図２０に示す第２の実施形態と同様な処理を行う箇所には同じステップ番号を付与している。図２３では、検索依頼が、評価検索を指示するためのものである場合には（Ｓ３４５：Ｙｅｓ）、第１の実施形態と同様のＳ３５０〜Ｓ３６０の処理が実行される。また、検索依頼が、コンテンツ検索を指示するためのものである場合には（Ｓ３４５：Ｎｏ，Ｓ４００：Ｙｅｓ）、第２の実施形態と同様のＳ４０５〜Ｓ４１５の処理が実行される。検索依頼が、評価検索、及びコンテンツ検索のいずれでもない場合には（Ｓ３４５：Ｎｏ，Ｓ４００：Ｎｏ）、処理を実行しない。このようにすれば、第１及び第２の実施形態の双方の効果を得ることができる。
【図面の簡単な説明】
【００９２】
【図１】情報提示システム１の構成図である。
【図２】情報提示システム１で実行される処理の概要を示す説明図である。
【図３】端末１０のメイン処理のフローチャートである。
【図４】情報生成装置２０のメイン処理のフローチャートである。
【図５】図４のメイン処理において実行されるユーザ監視処理のフローチャートである。
【図６】図５のユーザ監視処理において実行される基準値算出処理のフローチャートである。
【図７】図５のユーザ監視処理において実行される生体情報取得処理のフローチャートである。
【図８】図５のユーザ監視処理において実行される満足度算出処理のフローチャートである。
【図９】眠気評価テーブル２０１である。
【図１０】体動評価テーブル２０２である。
【図１１】情報収集装置５０のメイン処理のフローチャートである。
【図１２】コンテンツ利用履歴ＤＢ２０３の説明図である。
【図１３】図１１のメイン処理において実行される検索処理のフローチャートである。
【図１４】図１３の検索処理において実行される評価検索処理のフローチャートである。
【図１５】類似利用者の決定方法の説明図である。
【図１６】類似利用者の決定方法の説明図である。
【図１７】類似利用者の決定方法の説明図である。
【図１８】情報提示システム１で実行される処理の概要を示す説明図である。
【図１９】端末１０のメイン処理のフローチャートである。
【図２０】メイン処理で実行される検索処理のフローチャートである。
【図２１】図２０の検索処理で実行されるコンテンツ検索処理のフローチャートである。
【図２２】端末１０のメイン処理のフローチャートである。
【図２３】図１１のメイン処理において実行される検索処理のフローチャートである。
【符号の説明】
【００９３】
１    情報提示システム
４    ネットワーク
１０    端末
１１，２１，５１    ＣＰＵ
１２，２２，５２    ＲＯＭ
１３，２３，５３    ＲＡＭ
１６    出力部
２０    情報生成装置
２５    呼吸センサ
２６    脈拍センサ
２７    体動センサ
５０    情報収集装置
５５    ＨＤＤ
２０１    眠気評価テーブル
２０２    体動評価テーブル
２０３    コンテンツ利用履歴ＤＢ
２０４    ユーザ情報
２０５    コンテンツ情報
【図１】
2009211387.tif 000003
【図２】
2009211387.tif 000004
【図３】
2009211387.tif 000005
【図４】
2009211387.tif 000006
【図５】
2009211387.tif 000007
【図６】
2009211387.tif 000008
【図７】
2009211387.tif 000009
【図８】
2009211387.tif 000010
【図９】
2009211387.tif 000011
【図１０】
2009211387.tif 000012
【図１１】
2009211387.tif 000013
【図１２】
2009211387.tif 000014
【図１３】
2009211387.tif 000015
【図１４】
2009211387.tif 000016
【図１５】
2009211387.tif 000017
【図１６】
2009211387.tif 000018
【図１７】
2009211387.tif 000019
【図１８】
2009211387.tif 000020
【図１９】
2009211387.tif 000021
【図２０】
2009211387.tif 000022
【図２１】
2009211387.tif 000023
【図２２】
2009211387.tif 000024
【図２３】
2009211387.tif 000025